(57)【特許請求の範囲】
【請求項１】
遊技機本体の前面に突設されたハンドルベースと、該ハンドルベースの前部に装着されたハンドレストとの間に、非操作状態からの回動角度によって遊技球の発射強度を調節する発射レバーが回動可能に介装されてなる発射ハンドルを備えたパチンコ遊技機において、
前記発射レバーが、回動角度により遊技球の発射強度を調節する回動可能な環状基体と、該環状基体の外周に亘って相互に近接して周設された複数の可動指掛け部材とからなり、各可動指掛け部材が、遊技者の把持操作により変位して、隣接する可動指掛け部材の側面を回動力受圧面とする作動位置と、該作動位置への変位作動が可能な定常位置とに夫々変換可能に設けられていることを特徴とするパチンコ遊技機。
【請求項２】
環状基体の外周面に径方向の複数の摺動案内孔が周方向に沿って一定間隔で形成される一方、各可動指掛け部材に、前記摺動案内孔に嵌挿されて径方向に摺動案内される摺動連結杆が夫々突成され、各可動指掛け部材が、前記摺動案内孔に嵌挿された摺動連結杆の摺動作用を介して環状基体の径方向に沿って進退可能に設けられ、進出して環状基体の外周面から離隔する定常位置と、該定常位置から後退して環状基体の外周面に当接または近接する作動位置とに変換可能であることを特徴とする請求項１記載のパチンコ遊技機。
【請求項３】
各摺動連結杆に外嵌されて、環状基体の外周面と各可動指掛け部材の内底面間に夫々介装された圧縮バネを、作動位置に変換された各可動指掛け部材を定常位置に復帰させる自動復帰手段としたことを特徴とする請求項２記載のパチンコ遊技機。
【請求項４】
各可動指掛け部材を作動位置に夫々保持する保持手段を備えていることを特徴とする請求項１または請求項２記載のパチンコ遊技機。
【請求項５】
各可動指掛け部材が、摺動連結杆の突成端に形成された係合突部と、環状基体内に径方向に沿って形成されて、前記係合突部が選択的に係合可能な複数の係合凹部とで構成されてなる保持手段を備えることを特徴とする請求項４記載のパチンコ遊技機。
【請求項６】
各可動指掛け部材から後方に延成された把手舌片を、作動位置に変換された各可動指掛け部材を定常位置に復帰させる手動復帰手段としたことを特徴とする請求項５記載のパチンコ遊技機。
【請求項７】
環状基体の外周面に前後方向に延在する複数の摺動案内孔が周方向に沿って一定間隔で形成される一方、各可動指掛け部材に、前記摺動案内孔に嵌挿されて前後方向に摺動案内される摺動連結杆が夫々突成され、各可動指掛け部材が、前記摺動案内孔に嵌挿された摺動連結杆の摺動作用を介して環状基体の前後方向に沿って進退可能に設けられ、進出して環状基体の前部側に変位する定常位置と、該定常位置から後退して環状基体の後部側に変位する作動位置とに変換可能であることを特徴とする請求項１記載のパチンコ遊技機。
【発明の詳細な説明】
【技術分野】
【０００１】
本発明は、遊技球の発射操作時に、遊技者が把持したその把持位置に回動力受圧面が生じる発射ハンドルを備えたパチンコ遊技機に関する。
【背景技術】
【０００２】
パチンコ遊技機に設けられる発射ハンドルにあって、該発射ハンドルの発射レバーの外周に、複数の指掛け凹部を等角度間隔をおいて設けることにより、遊技者が発射レバーのどの位置を握っても、同じ感覚で操作出来るようにしたもの（例えば、特許文献１参照）が知られている。また、摺動環体の外周部に形成された摺動溝に沿って指掛片を移動可能に配設し、該指掛片を摺動溝の任意の位置で係止可能とすることにより、遊技者が楽な姿勢で発射レバーを保持し得るようにしたもの（例えば、特許文献２参照）が知られている。
【０００３】
これらは、指掛け凹部の側面或いは指掛片の側面を回動力受圧面として、該回動力受圧面に、発射レバーを把持した指の側部で回動力を加えることにより、該発射レバーを回転させ得るようになっている。
【特許文献１】特開２００４−４１４１３号公報（段落番号[００１３]、図２）
【特許文献２】特開２００４−８１２４８号公報（段落番号[００２９]、図９）
【発明の開示】
【発明が解決しようとする課題】
【０００４】
ところで、特許文献１に開示されたものは、各指掛け凹部が発射レバーに固定的に設けられているため、遊技者が発射レバーを把持した場合に必ずしも指が指掛け凹部に入り込むとは限らず、隣り合う指掛け凹部間の突部に指が掛かる場合もある。このような場合には、指を指掛け凹部のある位置までずらさなければならず、把持に伴う指の位置決めをするために、二段階の動作を行う必要があった。
【０００５】
また、特許文献２に開示されたものは、遊技者が楽な姿勢で発射レバーを把持できるようにするために、一旦摺動環体の外周部を把持した後、摺動溝に沿って指掛片を指に当接する位置まで移動させて係止する作業が必要であり、単に遊技者が任意の位置で発射レバーを把持するという目的のために煩雑な作業を行わねばならなかった。
【０００６】
さらに、これらの従来技術にあっては、発射レバーの外周に設けられた指掛け凹部或いは指掛片によって、その外周形状が凹凸状となっていることにより、遊技球の発射可能な状態において、遊技者が不用意に指掛け凹部或いは指掛片に指を引っ掛けたりすると、発射レバーが簡単に回転してしまい、遊技者の意図しない遊技球の発射が行われてしまうという問題があった。
【０００７】
本発明は、このような実状を改善するためになされたものであって、遊技者が把持したその把持位置に回動力受圧面を生じさせ得る発射ハンドルを備えたパチンコ遊技機を提供することを目的とするものである。
【課題を解決するための手段】
【０００８】
本発明は、遊技機本体の前面に突設されたハンドルベースと、該ハンドルベースの前部に装着されたハンドレストとの間に、非操作状態からの回動角度によって遊技球の発射強度を調節する発射レバーが回動可能に介装されてなる発射ハンドルを備えたパチンコ遊技機において、前記発射レバーが、回動角度により遊技球の発射強度を調節する回動可能な環状基体と、該環状基体の外周に亘って相互に近接して周設された複数の可動指掛け部材とからなり、各可動指掛け部材が、遊技者の把持操作により変位して、隣接する可動指掛け部材の側面を回動力受圧面とする作動位置と、該作動位置への変位作動が可能な定常位置とに夫々変換可能に設けられていることを特徴とするパチンコ遊技機である。
【０００９】
かかる構成にあって、各可動指掛け部材が、遊技者の把持操作により作動位置に変位すると、この作動位置に変位した可動指掛け部材に隣接する定常位置にある可動指掛け部材の側面に形成されている回動力受圧面が露呈して、該回動力受圧面に対する遊技者の指の側部による加圧操作が可能となり、その加圧操作によって環状基体を回動させることができる。また、前記発射ハンドルは、環状基体の回動角度を検出する角度検出手段を備えており、該角度検出手段により検出される環状基体の回動角度に基づいて遊技球の発射強度が調節される。
【００１０】
上述のパチンコ遊技機の発射ハンドルにあって、環状基体の外周面に径方向の複数の摺動案内孔が周方向に沿って一定間隔で形成される一方、各可動指掛け部材に、前記摺動案内孔に嵌挿されて径方向に摺動案内される摺動連結杆が夫々突成され、各可動指掛け部材が、前記摺動案内孔に嵌挿された摺動連結杆の摺動作用を介して環状基体の径方向に沿って進退可能に設けられ、進出して環状基体の外周面から離隔する定常位置と、該定常位置から後退して環状基体の外周面に当接または近接する作動位置とに変換可能である構成が提案される。
【００１１】
また、前記各摺動連結杆に外嵌されて、環状基体の外周面と各可動指掛け部材の内底面間に夫々介装された圧縮バネを、作動位置に変換された各可動指掛け部材を定常位置に復帰させる自動復帰手段としてなる構成が提案される。
【００１２】
また、上述のパチンコ遊技機の発射ハンドルにあって、各可動指掛け部材を作動位置に夫々保持する保持手段を備えている構成が提案される。
【００１３】
ここで、上記保持手段としては、各摺動連結杆の突成端に形成された係合突部と、環状基体内に径方向に沿って形成されて、前記係合突部が選択的に係合可能な複数の係合凹部とで構成されてなる構成が提案される。
【００１４】
また、各可動指掛け部材から後方に延成された把手舌片を、作動位置に変換された各可動指掛け部材を定常位置に復帰させる手動復帰手段としてなる構成が提案される。
【００１５】
さらに、上述のパチンコ遊技機の発射ハンドルにあって、環状基体の外周面に前後方向に延在する複数の摺動案内孔が周方向に沿って一定間隔で形成される一方、各可動指掛け部材に、前記摺動案内孔に嵌挿されて前後方向に摺動案内される摺動連結杆が夫々突成され、各可動指掛け部材が、前記摺動案内孔に嵌挿された摺動連結杆の摺動作用を介して環状基体の前後方向に沿って進退可能に設けられ、進出して環状基体の前部側に変位する定常位置と、該定常位置から後退して環状基体の後部側に変位する作動位置とに変換可能である構成が提案される。
【発明の効果】
【００１６】
本発明は、上述したように、発射レバーが、回動角度により遊技球の発射強度を調節する回動可能な環状基体と、該環状基体の外周に亘って相互に近接して周設された複数の可動指掛け部材とからなり、各可動指掛け部材が、遊技者の把持操作により変位して、隣接する可動指掛け部材の側面を回動力受圧面とする作動位置と、該作動位置への変位作動が可能な定常位置とに夫々変換可能に設けられたパチンコ遊技機であるから、各可動指掛け部材が定常位置に変換されている状態で遊技者が発射ハンドルを把持すると、遊技者の指で押圧される可動指掛け部材がその把持操作により変位して作動位置に変換され、当該可動指掛け部材に隣接する定常位置にある可動指掛け部材の側面が露呈して回動力受圧面となり、該回動力受圧面に対する遊技者の指の側部による加圧操作によって環状基体を回動させることができる。従って、遊技球の発射操作に際して、遊技者が発射ハンドルを任意の把持態様で把持することにより、遊技者毎に異なる把持態様に対応してその把持位置に回動力受圧面が生じるので、指をずらすことなく、発射ハンドルを把持する指の位置決めを簡単に行うことができる。
【００１７】
また、全ての可動指掛け部材が定常位置に変換されている状態にあっては、各可動指掛け部材の側面が露呈せず、相互に隣接する各可動指掛け部材間に回動力受圧面が生じない。これにより、遊技球の発射可能な状態において、遊技者が不用意に可動指掛け部材に接触しても、その接触による圧力を環状基体に対する回動力として受ける回動力受圧面が生じていないため、発射レバーが回転することがなく、遊技者の意図しない遊技球の発射を防止することができる。
【００１８】
上述のパチンコ遊技機の発射ハンドルにあって、環状基体の外周面に径方向の複数の摺動案内孔が周方向に沿って一定間隔で形成される一方、各可動指掛け部材に、前記摺動案内孔に嵌挿されて径方向に摺動案内される摺動連結杆が夫々突成され、各可動指掛け部材が、前記摺動案内孔に嵌挿された摺動連結杆の摺動作用を介して環状基体の径方向に沿って進退可能に設けられ、進出して環状基体の外周面から離隔する定常位置と、該定常位置から後退して環状基体の外周面に当接または近接する作動位置とに変換可能である構成にあっては、環状基体の外周面から離隔した定常位置にある各可動指掛け部材が、遊技者の把持操作によって、環状基体の径方向に沿って後退して、該環状基体の外周面に当接または近接する作動位置に変換される。これにより、発射ハンドルの把持操作に伴う指の自然な折り曲げ動作によって、各可動指掛け部材を径方向に押圧して作動位置へ変換することができる。
【００１９】
また、前記各摺動連結杆に外嵌されて、環状基体の外周面と各可動指掛け部材の内底面間に夫々介装された圧縮バネを、作動位置に変換された各可動指掛け部材を定常位置に復帰させる自動復帰手段とした構成にあっては、作動位置に変換された可動指掛け部材から指を離すことにより、圧縮バネの弾発力を介して、当該可動指掛け部材を定常位置へ自動的に復帰させることができる。これにより、可動指掛け部材を作動位置から定常位置に変換する場合に、特別の操作が不要となる。また、発射ハンドルを把持した指の位置を変更する場合にも、単に発射ハンドルを把持し直すだけでよい。
【００２０】
上述のパチンコ遊技機の発射ハンドルが、各可動指掛け部材を作動位置に夫々保持する保持手段を備えている構成にあっては、作動位置に変換された可動指掛け部材が保持手段によって作動位置に保持されるので、作動位置に変換した可動指掛け部材の作動状態を維持するために、可動指掛け部材に対する押圧操作を継続して行う必要がない。これにより、遊技者の指の疲労を軽減することができる。また、一旦可動指掛け部材が作動位置に保持されると、指を可動指掛け部材から離しても、作動状態が維持されるので、再度可動指掛け部材の押圧操作を行う必要がない。これにより、迅速な遊技再開が可能となる。
【００２１】
また、上記保持手段を、各摺動連結杆の突成端に形成された係合突部と、環状基体内に径方向に沿って形成されて、前記係合突部が選択的に係合可能な複数の係合凹部とで構成してなるものにあっては、発射ハンドルの把持操作による可動指掛け部材の後退変位に伴って、当該摺動連結杆の突成端に形成された係合突部が、環状基体内に径方向に沿って形成された複数の係合凹部に順次係合される。これにより、各可動指掛け部材をその変位量に応じた作動位置に保持することができる。
【００２２】
さらに、各可動指掛け部材から後方に延成された把手舌片を、作動位置に変換された各可動指掛け部材を定常位置に復帰させる手動復帰手段とした構成にあっては、作動位置から定常位置への可動指掛け部材の進出変位を、把手舌片を摘むことによって、容易に行うことができる。
【００２３】
また、上述のパチンコ遊技機の発射ハンドルにあって、環状基体の外周面に前後方向に延在する複数の摺動案内孔が周方向に沿って一定間隔で形成される一方、各可動指掛け部材に、前記摺動案内孔に嵌挿されて前後方向に摺動案内される摺動連結杆が夫々突成され、各可動指掛け部材が、前記摺動案内孔に嵌挿された摺動連結杆の摺動作用を介して環状基体の前後方向に沿って進退可能に設けられ、進出して環状基体の前部側に変位する定常位置と、該定常位置から後退して環状基体の後部側に変位する作動位置とに変換可能である構成にあっては、環状基体の前部側に変位した定常位置にある各可動指掛け部材が、遊技者の把持操作に伴う指の押圧操作によって、環状基体の前後方向に沿って後退して、該環状基体の後部側に変位する作動位置に変換される。これにより、発射ハンドルの把持操作によって各可動指掛け部材を後方向に押圧して作動位置へ変換することができる。
【発明を実施するための最良の形態】
【００２４】
以下に、本発明の第一実施例を、図１〜図６に基づいて説明する。
パチンコ遊技機１は、図１に示すように、遊技島設備（図示省略）に固定される外枠２と、該外枠２の前面開口部を覆う遊技機本体３とからなる。
【００２５】
遊技機本体３は、前記外枠２に開閉可能に軸支された前枠４と、該前枠４に装着された各種遊技部材とにより構成されている。即ち、前枠４には、遊技盤面（図示省略）を覆うガラス扉６と、上受皿７を備えた前面板８とが夫々開閉可能に軸支されている。また、前枠４の下部には、上受皿７の下方に位置させて下受皿９が一体形成されており、該下受皿９の右側方に本発明の要部にかかる発射ハンドル１０Ａが配設されている。該発射ハンドル１０Ａの背面側には、前記上受皿７から供給される遊技球を一個ずつ遊技盤面に打ち出す発射槌を備えた球発射装置（図示省略）が配設されている。ここで、発射ハンドル１０Ａは、非操作状態からの回動角度によって遊技球の発射強度を調節する回動可能な発射レバー１１を備えており、遊技者が該発射レバー１１を操作して、その回動量を変化させることにより、遊技球の発射強度を調節し得るようになっている。
【００２６】
前記発射ハンドル１０Ａは、図２，図３に示すように、遊技機本体３の前面に突出した状態で取り付けられる円筒状のハンドルベース１２（図１参照）と、該ハンドルベース１２の前部に装着された半球状のハンドレスト１３と、該ハンドレスト１３と前記ハンドルベース１２との間に回動可能に介装された前記発射レバー１１とを備えている。ハンドレスト１３には、その後壁面中心部から後方に向けて支軸部１４が突設されており、該支軸部１４に発射レバー１１を構成する環状基体１５が回動可能に軸支されている。また、該支軸部１４は、その外周の一部を前後方向に沿って略円弧状に切欠したような異形断面に形成されており、前記ハンドルベース１２には、該支軸部１４の異形断面形状に一致する取付孔部１６を前部側に備え、後部側が段部１７（図４参照）を介して拡径する挿通孔１８が前後方向に貫設されている。そして、環状基体１５を軸支した状態で、ハンドレスト１３の支軸部１４をハンドルベース１２の取付孔部１６に挿通して、該支軸部１４の端部に抜け止め板１９をボルト２０で固定することにより、段部１７に後方から当接する抜け止め板１９による抜け止め作用を介してハンドレスト１３がハンドルベース１２に対して抜け出し不能に装着されている。また、異形断面の支軸部１４と取付孔部１６との嵌合により、ハンドレスト１３が回転不能となっている。ここで、半球状のハンドレスト１３の後壁面と、ハンドルベース１２の前壁面との間隔は、図４に示すように、後述する環状基体１５のハブ部２３の前後方向の長さ寸法より若干広くなるように設定されており、これによって、支軸部１４に軸支された環状基体１５を容易に回動し得るようにしている。
【００２７】
前記発射レバー１１は、回動角度により遊技球の発射強度を調節する環状基体１５と、該環状基体１５の外周に亘って相互に近接して周設された複数の可動指掛け部材２１とからなり、各可動指掛け部材２１が、遊技者の把持操作により変位して、隣接する可動指掛け部材２１の側面を回動力受圧面２２（図６参照）とする作動位置と、該作動位置への変位作動が可能な定常位置とに夫々変換可能に設けられている。
【００２８】
前記環状基体１５は、図５に示すように、前記ハンドレスト１３の支軸部１４に遊嵌されるハブ部２３と、該ハブ部２３の前端部から径方向の外側に向けて延成された円板状の前壁部２４と、該前壁部２４の外端縁部に連成された環状の外周面部２５とにより構成されており、この外周面部２５には、図３に示すように、径方向の複数の摺動案内孔２６が周方向に沿って一定間隔で形成されている。ここで、各摺動案内孔２６は角孔状に形成されており、該摺動案内孔２６に嵌挿される後述する摺動連結杆２７の回り止め作用が得られるようにしている。
【００２９】
一方、前記各可動指掛け部材２１は、下面及び後面が開口した矩形箱状に形成されており、各可動指掛け部材２１の内底面の略中央部から所定長さの摺動連結杆２７が下面側に向けて夫々突成されている。該摺動連結杆２７は、前記摺動案内孔２６に嵌挿されて径方向に摺動案内されるものであって、図５に示すように、適宜の弾性を有する略平行な前後一対の分割弾性杆２７ａ，２７ｂによって構成されており、その突成端には上方に至るに従って広幅となり、かつ上面に水平状係止面２８’，２８’を備えた略楔状の係止端部２８ａ，２８ｂが前後方向に突出する状態で形成されている。ここで、略平行な前後一対の分割弾性杆２７ａ，２７ｂからなる摺動連結杆２７は、前記環状基体１５の外周面部２５に形成されている角孔状の摺動案内孔２６に嵌挿し得る断面角形に形成されており、また、前記係止端部２８ａ，２８ｂは、両分割弾性杆２７ａ，２７ｂが相互に近接する方向に弾性変形した場合に、角孔状の摺動案内孔２６を通過し得る大きさに形成されている。従って、摺動連結杆２７を摺動案内孔２６にその先端から嵌合すると、その突成端に形成された略楔状の係止端部２８ａ，２８ｂによって分割弾性杆２７ａ，２７ｂが相互に近接する方向に弾性変形して摺動案内孔２６に挿通され、係止端部２８ａ，２８ｂが該摺動案内孔２６を通過するとその弾性を介して分割弾性杆２７ａ，２７ｂが平行状態に復帰して係止端部２８ａ，２８ｂの上面の水平状係止面２８’，２８’が摺動案内孔２６の孔縁下面に係合可能な状態となり、その抜け止め作用が生じることとなる。これにより、環状基体１５への各可動指掛け部材２１の取り付けを容易に行い得るようになっている。
【００３０】
そして、前記各可動指掛け部材２１は、前記摺動案内孔２６に嵌挿された摺動連結杆２７の摺動作用を介して環状基体１５の径方向に沿って進退可能に設けられており、進出して環状基体１５の外周面から離隔する定常位置と、該定常位置から後退して環状基体１５の外周面に当接または近接する作動位置とに変換可能になっている。
【００３１】
また、各可動指掛け部材２１の摺動連結杆２７には、図４に示すように、圧縮バネ２９が外嵌されており、該圧縮バネ２９が環状基体１５の外周面と各可動指掛け部材２１の内底面間に夫々介装されている。そして、該圧縮バネ２９が、作動位置に変換された各可動指掛け部材２１を定常位置に復帰させる自動復帰手段となっている。ここで、圧縮バネ２９は、可動指掛け部材２１の定常位置において若干の圧縮状態で介装されており、その弾発力によって可動指掛け部材２１を定常位置に保持し得るようにしている。
【００３２】
尚、図示省略されているが、発射ハンドル１０Ａは、発射レバー１１が遊技者により回動操作されていない状態、即ち非操作状態からの環状基体１５の回動角度を検出する角度検出手段と、回動操作された発射レバー１１の環状基体１５を非操作状態に復帰させる付勢手段とを備えており、該角度検出手段により検出される環状基体１５の回動角度に基づいて遊技球の発射強度が調節される。また、回動操作された発射レバー１１は、遊技者が該発射レバー１１から手を離すと、付勢手段によって回動して非操作位置に自動的に復帰するようになっている。
【００３３】
かかる構成にあって、遊技者が発射ハンドル１０Ａを把持していない状態にあっては、図２に示すように、各可動指掛け部材２１が圧縮バネ２９（図４参照）の弾発力を介して定常位置に保持されている。このように、各可動指掛け部材２１が定常位置に保持されている状態において、遊技者が指を伸ばし、掌がハンドレスト１３に当接する近傍位置で、伸ばした指を折り曲げるようにして発射ハンドル１０Ａを把持すると、遊技者の指で押圧される可動指掛け部材２１が、圧縮バネ２９の弾発力に抗して、環状基体１５の径方向に沿って後退して作動位置に変換される。これにより、発射ハンドル１０Ａの把持操作に伴う指の自然な折り曲げ動作によって、各可動指掛け部材２１を径方向に押圧して作動位置に変換することができる。ここで、図４の上部に位置する可動指掛け部材２１及び図６の中央上部に位置する可動指掛け部材２１が作動位置に変換された状態である。そして、このように可動指掛け部材２１が作動位置に変換されると、当該可動指掛け部材２１に隣接する定常位置にある可動指掛け部材２１の側面が露呈して回動力受圧面２２（図６参照）となり、該回動力受圧面２２に対する遊技者の指の側部による加圧操作によって環状基体１５を回動させることができる。従って、遊技球の発射操作に際して、遊技者が発射ハンドル１０Ａを任意の把持態様で把持することにより、遊技者毎に異なる把持態様に対応してその把持位置に回動力受圧面２２が生じるので、指をずらすことなく、発射ハンドル１０Ａを把持する指の位置決めを簡単に行うことができる。
【００３４】
また、全ての可動指掛け部材２１が定常位置に変換されている状態にあっては、各可動指掛け部材２１の側面が露呈せず、相互に隣接する各可動指掛け部材２１間に回動力受圧面２２が生じない。これにより、遊技球の発射可能な状態において、遊技者が不用意に可動指掛け部材２１に接触しても、その接触による圧力を環状基体１５に対する回動力として受ける回動力受圧面２２が生じていないため、発射レバー１１が回転することがなく、遊技者の意図しない遊技球の発射を防止することができる。
【００３５】
また、作動位置に変換された各可動指掛け部材２１を定常位置に復帰させる自動復帰手段としての圧縮バネ２９を備えていることにより、作動位置に変換された可動指掛け部材２１から指を離すと、圧縮バネ２９の弾発力を介して、当該可動指掛け部材２１を定常位置へ自動的に復帰させることができる。これにより、可動指掛け部材２１を作動位置から定常位置に変換する場合に、特別の操作が不要となる。また、発射ハンドル１０Ａを把持した指の位置を変更する場合にも、単に発射ハンドル１０Ａを把持し直すだけでよい。
【００３６】
図７〜図９は、本発明の第二実施例を示し、この第二実施例は、発射ハンドル１０Ｂに、各可動指掛け部材２１を作動位置に夫々保持する保持手段を設けたものであって、該保持手段が、摺動連結杆２７の突成端に形成された係合突部２８ｃと、環状基体１５内に径方向に沿って形成されて、前記係合突部２８ｃが選択的に係合可能な複数の係合凹部３０とで構成されている。即ち、摺動連結杆２７を構成する前後一対の分割弾性杆２７ａ，２７ｂのうち、前部側に位置する分割弾性杆２７ａの突成端には、前方に略山形状に突出する係合突部２８ｃが形成されている。一方、環状基体１５の前壁部２４の後面に、前記係合突部２８ｃが係合可能な複数の係合凹部３０が径方向に沿って連続状に形成されている。また、各可動指掛け部材２１の天板部から把手舌片３１が後方に延成されており、該把手舌片３１を、作動位置に変換された各可動指掛け部材２１を定常位置に復帰させる手動復帰手段としている。そして、この手動復帰手段と前記保持手段の付設に伴って、第一実施例における自動復帰手段としての圧縮バネ２９が除去されている。
【００３７】
その他、第一実施例と同じ構成部分には、第一実施例と同じ符号を付して重複する説明を省略する。
【００３８】
かかる構成にあって、各可動指掛け部材２１が定常位置に変換されている状態において、遊技者が指を伸ばし、掌がハンドレスト１３に当接する近傍位置で、伸ばした指を折り曲げるようにして発射ハンドル１０Ｂを把持すると、遊技者の指で押圧される可動指掛け部材２１が、環状基体１５の径方向に沿って後退して作動位置に変換され、当該可動指掛け部材２１に隣接する定常位置にある可動指掛け部材２１の側面が露呈して回動力受圧面２２（図９参照）となり、該回動力受圧面２２に対する遊技者の指の側部による加圧操作によって環状基体１５を回動させることができる。
【００３９】
また、全ての可動指掛け部材２１が定常位置に変換されている状態にあっては、各可動指掛け部材２１の側面が露呈せず、相互に隣接する各可動指掛け部材２１間に回動力受圧面２２が生じない。これにより、遊技球の発射可能な状態において、遊技者が不用意に可動指掛け部材２１に接触しても、その接触による圧力を環状基体１５に対する回動力として受ける回動力受圧面２２が生じていないため、発射レバー１１が回転することがなく、遊技者の意図しない遊技球の発射を防止することができる。
【００４０】
そして、この第二実施例にあっては、各可動指掛け部材２１を作動位置に夫々保持する保持手段を備えていることにより、作動位置に変換した可動指掛け部材２１の作動状態を維持するために、該可動指掛け部材２１に対する押圧操作を継続して行う必要がない。これにより、遊技者の指の疲労を軽減することができる。また、一旦可動指掛け部材２１が作動位置に保持されると、指を可動指掛け部材２１から離しても、作動状態が維持されるので、再度該可動指掛け部材２１に対する押圧操作を行う必要がない。これにより、迅速な遊技再開が可能となる。
【００４１】
また、上記保持手段が、各摺動連結杆２７の突成端に形成された係合突部２８ｃと、環状基体１５内に径方向に沿って形成されて、前記係合突部２８ｃが選択的に係合可能な複数の係合凹部３０とで構成されていることにより、発射ハンドル１０Ｂの把持操作による可動指掛け部材２１の後退変位に伴って、当該可動指掛け部材２１の摺動連結杆２７の突成端に形成された係合突部２８ｃが、環状基体１５内に径方向に沿って形成された複数の係合凹部３０に順次係合されることにより、各可動指掛け部材２１をその変位量に応じた作動位置に保持することができる。
【００４２】
さらに、作動位置に変換された各可動指掛け部材２１を定常位置に復帰させる手動復帰手段として、各可動指掛け部材２１から後方に延成された把手舌片３１を備えているので、該把手舌片３１を指で摘んで、作動位置にある可動指掛け部材２１を定常位置に変位させることにより、作動位置から定常位置へ可動指掛け部材２１を手動で容易に復帰させることができる。
【００４３】
尚、この第二実施例では、各可動指掛け部材２１を作動位置に夫々保持する保持手段を、各摺動連結杆２７の突成端に形成された係合突部２８ｃと、環状基体１５内に径方向に沿って形成されて、前記係合突部２８ｃが選択的に係合可能な複数の係合凹部３０とで構成したが、これに代えて、最初の押圧で定常位置から作動位置へ変位してその作動状態を維持し、次の押圧で作動状態が解除されて作動位置から定常位置へ変位してその定常状態を維持する動作を押圧操作毎に繰り返す、例えば、ノック式ボールペンやスイッチ類等に用いられる公知技術を適用することも可能である。
【００４４】
図１０〜図１４は、本発明の第三実施例を示し、この第三実施例は、発射ハンドル１０Ｃを構成する各可動指掛け部材２１を、環状基体１５の前後方向に沿って進退可能に設け、進出して環状基体１５の前部側に変位する定常位置と、該定常位置から後退して環状基体１５の後部側に変位する作動位置とに変換し得るようにしたものである。
【００４５】
環状基体１５は、図１２，図１３に示すように、ハンドレスト１３の支軸部１４に遊嵌されるハブ部２３と、該ハブ部２３の前端部から径方向の外側に向けて延成された円板状の前壁部２４と、該前壁部２４の外端縁部に連成された環状の外周面部２５とにより構成されている。ここで、該外周面部２５は、上述した第一実施例のものに比して前後方向に長く形成されており、その長さは、後述する各可動指掛け部材２１の略二倍程度に設定されている。また、環状基体１５の外周面部２５には、図１１に示すように、前後方向に延在する複数の摺動案内孔２６が周方向に沿って一定間隔で形成されている。各摺動案内孔２６の長さは、可動指掛け部材２１の前後方向の長さに略相当する距離で、可動指掛け部材２１を進退させ得る長さに設定されている。
【００４６】
一方、各可動指掛け部材２１は、下面及び後面が開口した矩形箱状に形成されており、各可動指掛け部材２１の内底面の略中央部から所定長さの摺動連結杆２７が下面側に向けて夫々突成されている。該摺動連結杆２７は、前記摺動案内孔２６に嵌挿されて前後方向に摺動案内されるものであって、図１４に示すように、適宜の弾性を有する略平行な左右一対の分割弾性杆２７ａ，２７ｂによって構成されており、その突成端には上方に至るに従って広幅となり、かつ上面に水平状係止面２８’，２８’を備えた略楔状の係止端部２８ａ，２８ｂが左右方向に突出する状態で形成されている。ここで、略平行な左右一対の分割弾性杆２７ａ，２７ｂからなる摺動連結杆２７は、前記環状基体１５の外周面部２５に形成されている長角孔状の摺動案内孔２６に嵌挿し得る断面角形に形成されており、また、前記係止端部２８ａ，２８ｂは、両分割弾性杆２７ａ，２７ｂが相互に近接する方向に弾性変形した場合に、長角孔状の摺動案内孔２６の横幅間を通過し得る大きさに形成されている。従って、摺動連結杆２７を摺動案内孔２６にその先端から嵌合すると、その突成端に形成された略楔状の係止端部２８ａ，２８ｂによって分割弾性杆２７ａ，２７ｂが相互に近接する方向に弾性変形して摺動案内孔２６に挿通され、係止端部２８ａ，２８ｂが該摺動案内孔２６を通過するとその弾性を介して分割弾性杆２７ａ，２７ｂが平行状態に復帰して係止端部２８ａ，２８ｂの上面の水平状係止面２８’，２８’が摺動案内孔２６の左右孔縁下面に係合される状態となり、その抜け止め作用が生じることとなる。これにより、環状基体１５への各可動指掛け部材２１の取り付けを容易に行い得るようになっている。また、係止端部２８ａ，２８ｂを摺動案内孔２６の左右孔縁下面に係合することにより、摺動連結杆２７による前後方向の摺動作用が得られるようになっている。
【００４７】
そして、前記各可動指掛け部材２１は、前記摺動案内孔２６に嵌挿された摺動連結杆２７の摺動作用を介して環状基体１５の前後方向に沿って進退可能に設けられており、進出して環状基体１５の前部側に変位する定常位置と、該定常位置から後退して環状基体１５の後部側に変位する作動位置とに変換可能になっている。
【００４８】
尚、各可動指掛け部材２１の前壁面には、遊技者の指先形状に略一致する球面状の凹部３２が夫々形成されており、各可動指掛け部材２１に対する指先での押圧操作時において、該凹部３２に遊技者の指先を面接触させることによって、その押圧操作をし易くするようになっている。
【００４９】
また、ハンドレスト１３は、第一実施例のものに比して、その前後方向の長さが若干長くなるように形成されている。このハンドレスト１３の長さは、各可動指掛け部材２１が定常位置から後退して環状基体１５の後部側に変位する作動位置に変換された状態で、遊技者の掌が当接し得る長さに設定されており、これによって各可動指掛け部材２１の押圧操作を円滑に行わせるとともに、遊技者の手及び腕の荷重をハンドレスト１３で充分に支承し得るようになっている。
【００５０】
その他、第一実施例と同じ構成部分には、第一実施例と同じ符号を付して重複する説明を省略する。
【００５１】
かかる構成にあって、各可動指掛け部材２１が定常位置に変換されている状態において、遊技者が手を適宜に開き、その開いた手の指をハンドレスト１３の外面に沿って前進させて指先を可動指掛け部材２１の前壁面に当接させ、さらに掌がハンドレスト１３に当接する位置まで前進させて、発射ハンドル１０Ｃを把持することにより、遊技者の指先で押圧される可動指掛け部材２１が、環状基体１５の前後方向に沿って後退して作動位置に変換され、当該可動指掛け部材２１に隣接する定常位置にある可動指掛け部材２１の側面が露呈して回動力受圧面２２（図１０参照）となり、該回動力受圧面２２に対する遊技者の指の側部による加圧操作によって環状基体１５を回動させることができる。これにより、遊技球の発射操作に際して、遊技者が発射ハンドル１０Ｃを任意の把持態様で把持することにより、遊技者毎に異なる把持態様に対応してその把持位置に回動力受圧面２２が生じるので、指をずらすことなく、発射ハンドル１０Ｃを把持する指の位置決めを簡単に行うことができる。
【００５２】
また、全ての可動指掛け部材２１が定常位置に変換されている状態にあっては、各可動指掛け部材２１の側面が露呈せず、相互に隣接する各可動指掛け部材２１間に回動力受圧面２２が生じない。これにより、遊技球の発射可能な状態において、遊技者が不用意に可動指掛け部材２１に接触しても、その接触による圧力を環状基体１５に対する回動力として受ける回動力受圧面２２が生じていないため、発射レバー１１が回転することがなく、遊技者の意図しない遊技球の発射を防止することができる。
【００５３】
そして、この第三実施例にあっては、把持操作時に指を前進させるという簡単な動作で、環状基体１５の前部側に変位した定常位置にある各可動指掛け部材２１を、環状基体１５の後部側に変位する作動位置に変換させることができ、隣接する可動指掛け部材２１の側面に回動力受圧面２２を容易に生じさせることができる。
【図面の簡単な説明】
【００５４】
【図１】本発明にかかるパチンコ遊技機１の外観斜視図である。
【図２】第一実施例にかかる発射ハンドル１０Ａの外観斜視図である。
【図３】同上の発射ハンドル１０Ａの分解斜視図である。
【図４】同上の発射ハンドル１０Ａの縦断側面図である。
【図５】環状基体１５と可動指掛け部材２１の分解縦断側面図である。
【図６】同上の発射ハンドル１０Ａの正面図である。
【図７】第二実施例にかかる発射ハンドル１０Ｂの縦断側面図である。
【図８】環状基体１５と可動指掛け部材２１の分解縦断側面図である。
【図９】同上の発射ハンドル１０Ｂの正面図である。
【図１０】第三実施例にかかる発射ハンドル１０Ｃの外観斜視図である。
【図１１】同上の発射ハンドル１０Ｃの分解斜視図である。
【図１２】同上の発射ハンドル１０Ｃの縦断側面図である。
【図１３】環状基体１５と可動指掛け部材２１の分解縦断側面図である。
【図１４】同上の発射ハンドル１０Ｃを構成する環状基体１５の摺動案内孔２６と、可動指掛け部材２１の摺動連結杆２７との係合状態を示す部分断面図である。
【符号の説明】
【００５５】
１  パチンコ遊技機
３  遊技機本体
１０Ａ，１０Ｂ，１０Ｃ  発射ハンドル
１１  発射レバー
１２  ハンドルベース
１３  ハンドレスト
１５  環状基体
２１  可動指掛け部材
２２  回動力受圧面
２６  摺動案内孔
２７  摺動連結杆
２８’ 係合突部（保持手段）
２９  圧縮バネ（自動復帰手段）
３０  係合凹部（保持手段）
３１  把手舌片（手動復帰手段）
【図１】
0004674899.tif 000002
【図２】
0004674899.tif 000003
【図３】
0004674899.tif 000004
【図４】
0004674899.tif 000005
【図５】
0004674899.tif 000006
【図６】
0004674899.tif 000007
【図７】
0004674899.tif 000008
【図８】
0004674899.tif 000009
【図９】
0004674899.tif 000010
【図１０】
0004674899.tif 000011
【図１１】
0004674899.tif 000012
【図１２】
0004674899.tif 000013
【図１３】
0004674899.tif 000014
【図１４】
0004674899.tif 000015